(57)【特許請求の範囲】
【請求項１】
金属線材を折り曲げて形成し、該金属線材にメタルマークの付着を防止する特殊コーティングを施して食器かご本体を形成し、該食器かご本体の底板の下面であって、かごの載置面の外側に沿って当接材を夫々配置し、該当接材を連結材で接合した線材保護具を取付けて、前記食器かごを置いた際に、食器かごに収容した食器が、前記線材保護具に接触しないように前記線材保護具を構成し、
前記線材保護具は、前記食器かごを置いた際に、前記食器かご本体の底面部外側が載置面に接触することなく前記当接材が載置面に当接するように取り付けたことを特徴とする食器かご。
【請求項２】
金属線材を折り曲げてなり、該金属線材にメタルマークの付着を防止する特殊コーティングを施して食器かご本体を形成し、該食器かご本体
の底板の下面に線材保護具を取り付け、前記食器かご本体の収容部を分割できる仕切具を、前記食器かご本体に対して着脱自在で、かつ複数の取付け位置に取付けられる構成とし、前記仕切具は、前記食器かごの底板に載置して底板に係止する支持部と、縦に配置される仕切部とからなり、前記支持部は、前記一の金属線材に係止する鈎状係止材と他の金属線材に沿って配置され、他の金属線材に係止できる棒状係止材とから構成したことを特徴とする食器かご。
【請求項３】
食器かご本体の底板の下面に並列配置する当接材と、該当接材を連結する連結材とにより構成し、前記当接材の両端を前記食器かご本体の金属線材に係止可能に構成し、
前記当接材は、前記食器かごを置いた際に、前記食器かご本体の底面部外側が載置面に接触することなく前記当接材が載置面に当接するように形成したことを特徴とする食器かごの線材保護具。
【発明の詳細な説明】
【０００１】
【発明の属する技術分野】
この発明は、学校・事業所等の給食施設で使用する食器を搬送等するための食器かご及び食器かごの線材保護具に関する。
【０００２】
【従来の技術】
学校や事業所等へ食事を供給する給食センターでは、惣菜類とこれを盛りつける食器類とを別々に給食センターから、各学校等へ、搬送し、各学校などで、食器に惣菜類を盛りつけていた。この場合、食器類を食器かごに入れて各学校へ搬入し、使用後の食器を食器かごに入れて搬出し、給食センター等で、食器かごに入れた状態で、食器を洗浄、消毒、乾燥していた。従って、食器かごは、高温に耐える材質である金属（とりわけステンレス鋼）線材製で造られていた。また、食器も、使用感、耐久性を考慮してセラミックス製が多く用いられている。
【０００３】
このような場合に、搬送中等にセラミックス製の食器が、食器かごの金属線材に擦られ、食器に、いわゆるメタルマークと称する汚れが付着し、一旦食器に付着したメタルマークは劇薬に相当するような薬品で処理しなければ除去できなかった。そこで、出願人は、メタルマークの付着防止できる特殊コーティングを金属線材に施した各種食器かごを提案している（特許第２９９２１４６号等）。
【０００４】
【発明が解決しようとする課題】
前記のように、食器を食器かごに入れて搬送する際に、一般にトラックに載せるため、走行中の振動や衝撃、食器かごを荷台から上げ下ろす際の衝撃で、食器が食器かごの金属線材にぶつかり、食器に縁欠けを生じる問題点があった。とりわけ、１つの食器かご７０に、重ねた食器群６２ａ、６２ｂを２山以上収容した場合や、重ねた食器群６３の山と食器かご７０とに隙間７１が有る場合に顕著であった（図８（ｃ）（ｄ））。
【０００５】
また、搬送中などで、食器を入れたまま食器かご７０を滑らせながら移動させることも多々行われ、金属線材に特殊コーティングを施した食器かごを使用した際に、食器かご７０の底板の下面で特殊コーティングが剥げ落ちる問題点があった。特殊コーティングが剥げ落ちを防止するために、底面に位置する金属線材の下側だけ特殊コーティング（樹脂被覆）を予め除去する工夫もされていたが（実用新案登録第３０７７２２８号）、除去作業に手間がかかる問題点があった。
【０００６】
また、食器かごは、搬送中・洗浄中等で、一般に粗雑に取り扱われる場合が多く、金属線材自体が変形するおそれもあった。
【０００７】
【課題を解決するための手段】
然るにこの発明では、食器かご本体の底板の下面に線材保護具を取付け、あるいは食器かご本体の収容部を分割できる仕切具を着脱自在に取付けたので、または、底面の周に沿って、環状の金属線材を配置したので、前記問題点を解決した。
【０００８】
即ちこの発明は、金属線材を折り曲げて形成し、該金属線材にメタルマークの付着を防止する特殊コーティングを施して食器かご本体を形成し、該食器かご本体の底板の下面であって、かごの載置面の外側に沿って当接材を夫々配置し、該当接材を連結材で接合した線材保護具を取付けて、前記食器かごを置いた際に、食器かごに収容した食器が、前記線材保護具に接触しないように前記線材保護具を構成し、前記線材保護具は、前記食器かごを置いた際に、前記食器かご本体の底面部外側が載置面に接触することなく前記当接材が載置面に当接するように取り付けたことを特徴とする食器かごである。
【０００９】
また他の発明は、金属線材を折り曲げてなり、該金属線材にメタルマークの付着を防止する特殊コーティングを施して食器かご本体を形成し、該食器かご本体の底板の下面に線材保護具を取り付け、前記食器かご本体の収容部を分割できる仕切具を、前記食器かご本体に対して着脱自在で、かつ複数の取付け位置に取付けられる構成とし、前記仕切具は、前記食器かごの底板に載置して底板に係止する支持部と、縦に配置される仕切部とからなり、前記支持部は、前記一の金属線材に係止する鈎状係止材と他の金属線材に沿って配置され、他の金属線材に係止できる棒状係止材とから構成したことを特徴とする食器かごである。
【００１１】
また、他の発明は、食器かご本体の底板の下面に並列配置する当接材と、該当接材を連結する連結材とにより構成し、前記当接材の両端を前記食器かご本体の金属線材に係止可能に構成し、前記当接材は、前記食器かごを置いた際に、前記食器かご本体の底面部外側が載置面に接触することなく前記当接材が載置面に当接するように形成したことを特徴とする食器かごの線材保護具である。
【００１３】
一般に、線材保護具は食器かごと共に洗浄・加熱・殺菌処理することが予想され、また仕切具は食器かごと共に又は食器かごと分離して洗浄・加熱・殺菌処理することが予想されるので、食器かごの金属線材と同等の材質とすることが望ましいが、同等の性質を有する樹脂等他の材質から構成することもできる。
【００１４】
また、前記におけるメタルマークの付着を防止する特殊コーティングは、加熱殺菌処理に耐えられる耐熱温度（１８０〜２００℃程度）の材質で形成することが好ましい（例えば、ポリエステル系樹脂による特殊コーティング）。また、多少の衝撃が与えられた際にも傷が付きにくく、またたとえ、傷が生じた場合でも金属線材から剥離し難いことが望ましい。また、食器を取り扱うため、有害物質を抽出しないことが必要である。
【００１５】
【発明の実施の形態】
（１）  この発明の食器かご（食器かご本体）１は、底板４が長方形で、格子状の底板４を構成する金属線材の内、少なくとも短辺７、７に平行な金属線材は、等間隔Ｌに並列してある（図２、図３）。また、底面４の四周に沿った環状の金属線材２４を有する構造としてある。また、各金属線材には、セラミック系食器にいわゆる「メタルマーク」が付着しないように、特殊コーティングを施してある。
【００１６】
（２）  この発明の仕切具５３は、底板４の上面（内面）５に載置され、底板４の金属線材に係止する支持部４２と、食器かご内の収容空間を仕切る仕切部４２とから構成する。支持部４３は、一の金属線材に係止する鈎状係止部４４と、他の金属線材に並列して配置され当該金属線材に形成する棒状係止部４５、４５とを有する（図１（ａ）（ｂ）（ｃ））。仕切具５３を金属製とした場合には、支持部４２、仕切部４７にも、金属線材と同様に、セラミック系食器にいわゆる「メタルマーク」が付着しないようにコーティングを施す。
【００１７】
底板４の金属線材が等間隔に並列しているので、支持部４２の鈎状係止部４４と棒状係止部４５とは、任意の金属線材の組み合わせを選択して、係止することができ、底板４上の複数位置に取り付けることができる。従って、収容する食器の大きさや量に応じて食器かご内を適切に仕切ることができ、食器の搬送効率を高めることができると共に、搬送する食器の縁欠けを防止できる。
【００１８】
（３）  また、この発明の線材保護具５８は、食器かごの底板４の両長辺８、８に沿って配置される当接材５５、５５と、当接材５５に連設され当接材５５を食器かごの金属線材に係止する係止材５６と、両当接材５５を連結する連結材５７、５７と、から構成する（図５（ａ）（ｂ）、図１１（ａ）（ｂ））。
【００１９】
係止材５６、５６は、食器かごに収容した食器が係止材５６に当接しないようにするため、底板４と側板２、３との綾線付近、又は側板２、３同志の稜線付近に配置すると共に、その付近の金属線材に係止できるように形成する。
【００２０】
食器かごを地面等の置いた場合、線材保護具５８の当接材が地面等に当たり、食器かごの金属線材は地面等に当たらない。従って、食器かごを引きずるように運んだ場合であっても、底板４を構成する金属線材のコーティングが剥げるおそれがない。
【００２１】
（４）  食器かご１に、仕切具５４、線材保護具５８のいずれか一方又は両方を取り付けて、この発明の食器かご６０を構成する。食器かご１は、この発明に係る底面に環状の金属線材を配置した食器かごの外、従来の食器かごに適用することもできる。
【００２２】
【実施例１】
図面に基づきこの発明の実施例を説明する。
【００２３】
［Ａ］食器かご（食器かご本体）１の構成
【００２４】
（１）食器かご１は、長方形状の底板４の長辺８、８に側板２、２を立ち上げ、底板４の短辺７、７に側板３、３を立ち上げ、側板２、３の縦縁を一体に連結しような形状で構成する。各面２、３、４は多数の金属線材から格子に形成される（図２、図３）。
【００２５】
（２）底板４の格子であって、短辺７に平行な部分の格子を形成する底面部１１と、側板２の縦格子を構成する両側面部１２、１２とからなる金属線材を略Ｕ字状に屈曲して加工して、第一基本格子１０を構成する。
【００２６】
同様に、底板４の格子であって、長辺８に平行な部分の格子を形成する底面部１５と、側板３の縦格子を構成する両側面部１６、１６とからなる金属線材を略Ｕ字状に屈曲して加工して、第二基本格子１４を構成する。
【００２７】
並列した第一基本格子１０、１０の下側に、並列した第二基本格子１４、１４を重ねる。第一基本格子１０の底面部１１、１１は、幅Ｌの等間隔で形成されている。第一基本格子１０、１０の底面部１１、第二基本格子１４、１４の底面部１５とから底板４の格子を構成する。
【００２８】
（３）また、底板４の長方形の対角線に沿って配置される底面部２１と側板２、３の稜線を構成する側面部２２、２２とからなる略Ｕ字状の縦補強鉄筋２０、２０を、第二基本格子１４の底面部１５の下側に、底面部２１を位置させて、重ねる。縦補強鉄筋２０は、第一第二基本格子１０、１４より大径の線材から形成する。
【００２９】
また、第一第二基本格子１０、１１、縦補強鉄筋２０は、側面部１２が上方に向けて若干拡がるように形成されている。
【００３０】
また、底板４では、上から第一基本格子１０の底面部１１、第二基本格子１４の底面部１５、縦補強鉄筋２０の底面部２１の順に重なっている。
【００３１】
（４）底板４と平行な平面略長方形で、隅部を部分円状に屈曲して形成した第一横線材（環状の金属線材）２４、第二横線材２６、第三横線材２８、第四横線材３０、第五横線材３２、開口縁線材３４を底板４側から順に配置する。これらの各横線材は、側板２、３の横格子を構成する。
【００３２】
第一横線材２４は、環状に形成され、かつ長方形状の底板４の四周に沿って配置される。また、第一横線材２４は、第一基本格子１０、第二基本格子１４、縦補強鉄筋２０の内側に配置され、第一基本格子１０、第二基本格子１４は、第一横線材２０に沿って、屈曲されている。第一横線材２４は、第一基本格子１０、第二基本格子１４及び縦補強鉄筋２０の内側に当接し、当接点で固定される。
【００３３】
また、第二横線材２６も環状に形成され、第一基本格子等１０、１４、２０の内側に配置し、第一基本格子１０、第二基本格子１４及び縦補強鉄筋２０の内側に接触し、接触点で固定される。ここで、第二横線材２６は四隅部で、縦補強鉄筋２０と接触固定されている。
【００３４】
また、第三横線材２８は、第一基本格子等１０、１４、２０の外側に配置し、第一基本格子１０、第二基本格子１４の外側に接触し、接触点で固定される。第三横線材は３８は、環状に形成されているが、第一横線材２４等に比して四隅部の曲率半径が小さく形成され、縦補強鉄筋２０とは所定距離だけ離れて屈曲してあり、縦補強鉄筋２０と接触しない。また、第三横線材２８は、他の横線材２４、２６、３０より、太径の線材を使用している。
【００３５】
また、環状に形成された第四横線材３０は、第一基本格子等１０、１４、２０の外側に配置し、第一基本格子１０、第二基本格子１４及び縦補強鉄筋２０の外側に接触し、接触点で固定される。
【００３６】
また、環状に形成された第五横線材３２は、第一基本格子等１０、１４、２０の内側に配置し、第一基本格子１０、第二基本格子１４の内側に接触し、接触点で固定される。第五横線材３２は、四隅部の曲率半径が、第四横線材３０より大きく形成され、縦補強鉄筋２０とは所定距離だけ離れて屈曲してあり、縦補強鉄筋２０と接触しない。
【００３７】
また、開口縁線材３４は、第一基本格子等１０、１４、２０の外側に配置し、第一基本格子１０、第二基本格子１４及び縦補強鉄筋２０の外側に接触し、第一基本格子１０、第二基本格子１４及び縦補強鉄筋２０の上端部を、開口縁線材３４の周りに巻き付けるようにして、外側に屈曲する。
【００３８】
（５）  開口縁線材３４の短辺側に、提手３６を取付ける。
【００３９】
提手３６は、線材をコ字状に屈曲して、把持杆３７の両側に支持杆３８、３８が連設された構造とし、把持杆３７を螺旋状部材３９で覆い、握り易くしてある。また、両支持杆３８、３８間で、支持杆３８の先端部（把持杆３７を接続した側の反対側）に、ストッパー用の連結杆４０を架設する。このように形成した提手３４の支持杆３８の先端部を開口縁線材３４に、巻き付けて、提手３４は、回動自在に取り付けてある。
【００４０】
提手３６を食器かごの内側に回転させた際に、提手３６の連結杆４０が第二基本格子１４に当接して、提手３６の内側への回動を規制して、所定角度（水平よりやや下がった位置）に提手３６を保持する。提手３６をかごの外側に回転させた際には、かごの側面板３の外面に沿って垂下される。
【００４１】
（６）  各線材１０、１４、２０、２４等の端縁、提手３６の支持杆３８、３８の端縁は手を傷つけないように、端部処理を施してある。以上のようして食器かご１を構成し、食器かご１の各線材は、特殊合成樹脂（例えば、ポリエステル系樹脂）により、セラミック製食器にいわゆるメタルマークを生じないようにコーティングしてある。
【００４２】
［Ｂ］仕切具５３の構成
【００４３】
（１）  仕切具５３は、食器かご１の底板４の上面５に載置される支持部４２と支持部４２に立設される仕切部４７とから側面略Ｌ字状に形成される。
【００４４】
（２）  仕切部４７は、食器かご１の深さ（底板４の上面５から開口縁線材３４）より、若干低い２本の縦材４８、４８の上端を上横材４９で連設して、両縦材４８、４８の下端部に上横材４９と略平行に下横材５０を架設し、上横材４９と下横材５０との間に、縦塞ぎ材５１、５１を並列して架設する。
【００４５】
（３）  仕切部４７の両縦材４８、４８の下端に連続して、横方向に支持材４３、４３を連設し、支持材４３の先端部を下方に向けて屈曲して、鈎状係止部４４を形成する。支持材４３の下側に、棒状係止材４５、４５を、上下横材４９、５０と平行に、架設固定する。鈎状係止部４４を有する支持材４３、４３と棒状係止材４５、４５とで支持部４２を構成する。
【００４６】
支持材４３、４３、縦材４８、４８及び上下横材４９、５０とは、金属線材を屈曲して、一体の枠部として構成する。
【００４７】
また、支持材４３、４３の鈎状係止部４４を、食器かご１の第一基本格子１０の底面部１１の一に係止した際に、隣接する他の第一基本格子１０、１０の底面部１１、１１が、棒状係止材４５、４５の仕切部４７側に沿って配置されるように、両棒状係止材４５、４５の取付け位置を設定する。
【００４８】
また、支持材４３、４３の間隔Ｄ１は、最も外側に位置する第二基本格子１４、１４の底面部１５、１５の間隔Ｄより大きく形成し、第一基本格子１０の底面部１１であって、最も外側に位置する第二基本格子１４、１４の外側に添設して係止できるようになっている（図１（ａ）（ｂ）、図３）。
【００４９】
（４）  以上のようにして、仕切具５３を構成し、仕切具５３は食器かご１の金属線材と同等な金属線材から構成し、かつ食器かご１と同様に、特殊合成樹脂（たとえば、ポリエステル系樹脂）により、セラミック製食器にいわゆるメタルマークを生じないようにコーティングしてある。
【００５０】
また、仕切具５３は支持部４２を、適宜の第一基本格子１０の底面部１１に係止すれば、仕切部４７を食器かご１内を二等分する位置にさせることができるように、支持部４２と仕切部４７とが調節されている（図４）。
【００５１】
［Ｃ］線材保護具５８の構成
【００５２】
（１）  食器かご１の底板４に長手方向（長辺８に平行に）に金属線からなる当接材５５、５５を、最も外側に位置する第二基本格子１４、１４の底面部１５、１５の外側に沿って配置し（図６）、当接材５５の端部を第二基本格子１４に沿って立ち上げ、係止片５６を形成する。係止片５６は、第一横線材２４に外側から内側に向けて巻き付け、第一横線材２４に係止固定する（図５（ｂ））。
【００５３】
また、２つの当接材５５、５５の両端部に、連結材５７の両端を夫々固定して平面長方形枠状の線材保護具５８を構成する（図５（ａ）（ｂ））。線材保護具５８は、食器かご１を構成する金属線材と同等の金属線材から構成する。
【００５４】
（２）  前記線材保護具５８の実施例において、連結材５７を当接材５５の両端部に設けたが、更に中間部にも設けることもできる（図５（ａ）鎖線図示５７）。また、当接材５５を最も外側に位置する第二基本格子１４、１４に沿って設けたが、更に、内側の第二基本格子１４の底面部１５に沿って、当接材５５を配置することもできる（図５（ａ）鎖線図示５５）。
【００５５】
また、前記実施例において、係止片５６は、第一横線材２４に係止したが、食器かご１に収容した食器が、係止片に触れない位置であれば、他の線材に係止することもできる。例えば、係止片５６を上方に延ばし、第二横線材２６に係止することもできる（図５（ｂ）鎖線図示５６、２６）。
【００５６】
また、前記実施例において、当接材５５、５５を、最も外側に位置する第二基本格子１４、１４の外側に配置したが、最も外側に位置する第二基本格子１４、１４の内側に配置することもできる（図７）。
【００５７】
また、前記実施例において、当接材５５及び連結材５７を金属線から構成したが、両方又は一方を板状、パイプ状など他の断面形状の材料とすることもできる。また、食器かごに食器を入れた状態で、食器かごの底を摺って移動させた場合でも、摩耗しない材料で有れば、合成樹脂等他の材料を採用することもできる。
【００５８】
（３）  また、他の線材保護具５８の実施例を説明する。前記実施例において、連結材５７を両端部に設けたが、この実施例では、連結材５７、５７は両端部より、やや中央部側に配置し、更に中央部に１本の連結材５７を配置する。また、前記実施例では、当接材５５をほぼ直角に立ち上げて係止片５６を形成したが（図５（ｂ））、この実施例では、当接材５５の両端部は、外側の連結材５７を固定した位置から徐々に上方に屈曲して、両端部に係止片５６、５６を形成して、第一横線材２４に巻き付ける構造である（図９（ａ）（ｂ））。
【００５９】
当接材５５の一方の係止片５６は、内側から外側に向けて第一横線材２４に巻き付け、他方の係止片５６は、外側から内側に向けて第一横線材２４に巻き付ける。この際、一方の係止片５６を予め第一横線材２４に係止した状態で、線材保護具５８を回動して、他方の係止片５６を第一横線材に係止した後、一方又は両方の係止片５６をかしめて、食器かご１に固定する。
【００６０】
尚、係止片５６、５６は、夫々巻き付け方向を内側外側と違えたので製造容易であるので望ましいが、前記実施例のように同じ方向に巻き付けることもできる（図５（ｂ））。
【００６１】
また、係止片５６を巻き付ける線材は、収容した食器との接触を最小限に防げる第一横線材２４としたが、他の線材（例えば、第二横線材２６等）に巻き付けることもできる（図示していない）。
【００６２】
［Ｄ］食器かご６０の構成
【００６３】
（１）  食器かご１に線材保護具５８及び仕切具５３を取り付けて、この発明の食器かご６０を構成する。また、食器かご１に線材保護具５８のみを取り付け、仕切具５３を省略して食器かご６０を構成し、あるいは食器かご１に仕切具５３のみを取り付け、線材保護具５８を省略して、この発明の食器かご６０を構成することもできる。
【００６４】
（２）  この食器かご６０で、収容する皿などの食器の大きさに応じて、例えば、中形の食器からなる食器群６２ａ、６２ｂを２山宛収容する場合には、仕切具５３の仕切部４２が底板４の長さ方向の中央に位置するように、仕切具５３の鈎状係止部４４を適切な第一基本格子１０の底面部１１に係止して、棒状係止材４５、４５を他の第一基本格子１０の底面部１１に沿わせて係止する。この場合、棒状係止材４５は、底面部１１であって、鈎状係止部４４の他側に沿わせて係止できるので、仕切具は５３水平方向の移動が規制される（図４）。また、この状態で、食器かご６０内は、仕切部４７により収容部６１ａ、収容部６１ｂに区画される。
【００６５】
食器かご６０の食器群６２ａ、６２ｂの山を両収容部６１ａ、６１ｂ中に収容すれば、食器群６２ａの山が、仕切具５３の支持部４２の支持材４３及び棒状係止材４４上に載置され、食器の自重で、仕切具５３が鈎状係止部４４周りに回動することが規制され、食器の搬送中に仕切具５３が移動することなく、仕切られた収容部６１ａ、６１ｂ毎に、食器群６２ａ、６２ｂの食器の縁欠け等を防止して安定して収容する（図８（ａ））。また、食器かご１及び仕切具５３には特殊合成樹脂によるコーティングが施してあるので、コーティング層がクッションとなり、縁欠け防止に有効に作用する。
【００６６】
また、この際、仕切具５３の支持部４２（特に、支持材４３、４３、棒状係止材４５、４５）上に、食器群６２ａが載置するので、仕切具５３の底板４との係止が外れることなく、仕切具５３の移動が規制される。
【００６７】
また、大形の食器の食器群６３を収容する場合には、食器の形状に応じた他の第一基本格子１０の底面部１１に仕切具５３の鈎状係止部４４を係止して、同様に、棒状係止部を他の第一基本格子１０の底面部１１に係止して、仕切具５３を取付ける（図４鎖線図示５３）。この場合には、支持部４２側の収容部６１ａに食器群６３を収容し、他の収容部６１ｂに小食器群６３を収容する（図８（ｂ））。
【００６８】
尚、当然ながら食器を収容の仕方は上記例に限らず、任意であり、食器群に合わせて、仕切具５３を適切な位置に取り付けて使用する。
【００６９】
（３）  また、食器を収容した状態（図８（ａ）（ｂ））で、食器かご６０の底を床に滑らせるように引き摺っても、線材保護具５８の当接材５５、５５が床に当接するので、縦補強鉄筋２０の底面部２１、基本格子１０、１４の底面部１１、１５が床に当接することが無いので、該部のコーティングが剥がれるおそれが無い。
【００７０】
また、当接材５５、５５は食器かご１の側板２側（食器かごの中央側でなく）に配置され、係止片５６も最も底板４に近い第一横線材２４に係止したので、係止片５６は食器かご１の隅部に位置するので、係止片５６に収容した食器が触れるおそれが無い。尚、当接材５５及び連結材５７は底板４の下面に配置したので（図６、図７）、当然に収容した食器に触れることは無い。
【００７１】
［Ｅ］他の実施例
【００７２】
（１）  前記における食器かご１の線材の構成は、前記例に限らず、食器を収容して、これを運搬できる形状であれば、任意である（図示していない）。ただし、底板４の格子構造は、線材が等間隔Ｄに並ぶように形成すれば、仕切具５３の支持部４２の係止構造を簡略化できるので、望ましい。また、底面４の四周に沿った第一横線材（環状金属線材）２４を有する食器かご１が望ましいが、他の線材の構成の食器かごを使用することもできる（図示していない）。
【００７３】
（２）  前記実施例において、仕切具５３の仕切部４７の構成は、両収容部６１ａ６１ｂに収容した食器が互いに当接しないように区画できれば、板状など他の形状とすることもできる（図示していない）。
【００７４】
（３）  次に、他の線材保護具５８の実施例を説明する。前記実施例において、結材５７を両端部を線材に巻き付けるように屈曲して係止片５６を形成したが（図５（ｂ）、図９（ｂ））、この実施例では、係止片５６を板状（羽子板状）に形成して、透孔（又は螺孔）５９を穿設して形成する（図１０（ａ）（ｃ）（ｄ））。
【００７５】
この線材保護具５８を使用する食器かご（食器かご本体）１は、第一横線材２４と第二横線材２６との間に、板状で透孔５９に対応した透孔（又は螺孔）６６を穿設した固定片６５を溶接固着しておく。係止片５６と固定片６５とを重ね、連通した透孔５９と透孔６６とにボルト（ねじ）６７を挿通して、ナット６８をボルト６７に螺合して係止片５６を固定板６６に固定する（図１０（ｃ））。以上のようにして、食器かご１に線材保護具５８、８９を取り付けて、食器かご６０を構成する（図１０（ａ））。尚、透孔５９、透孔５６の一方又は両方をねじ孔とした場合には、ナット６８を不要とすることもできる。
【００７６】
また、ここで、固定片６５をを第一横線材２４と第二横線材２６との間に固定したが、他の線材、例えば、第二基本格子１４、１４の側面部１６、１６間で、第一横線材２４と第二横線材２６との間に固定することもできる（図１０（ｂ））。
【００７７】
また、この実施例において、当接材５５を有する１本の線材からなる線材保護具５８を構成したが、前記実施例（図５、図９）のように、並列した２本の当接材５５、５５を連結材５７、５７で接合して、井桁状の線材補強具５８とすることもできる（図１０（ｃ）（ｄ）鎖線図示５７）。
【００７８】
また、この実施例の線材保護具５８を使用する場合、他の固定片６６を使用することもできる（図１１）。即ち、透孔６６を穿設した板状の固定片６５の上端部を線状に形成し巻付部６５ａを形成する。この固定片６５の巻付部６５ａを、食器かご１の第一横線材２４に巻き付けて、固定片６５を食器かご１に係止固定する（図１１（ａ）（ｂ））。この場合の固定片６５と線材保護具５８の固定は、同様に、固定片６５に線材保護具５８の係止片５６を重ね、連通した透孔５９と透孔６６とにボルト６７を挿通して、必要ならばナット６８をボルト６７に螺合して係止片５６を固定板６６に固定する（図１１（ｃ））。
【００７９】
尚、固定片６５と板状の係止片５６との固定は、ボルト（ねじ）６７を使用したが、ボルト（ねじ）に代えて、タッピングビス等従来使用されている他の留め具を使用することもできる。この場合、必要に応じて、固定片６５の透孔６６、係止片５６の透孔５９を適宜変更する（図示していない）。
【００８０】
【発明の効果】
線材保護具を取付けた食器かごでは、食器かご本体の底面部外側が直接載置面に接触せず、かつ食器かごに収容した食器が前記線材保護具に接触しないように線材保護具を構成したので、食器かごを床を引き摺るように使用しても、食器かごの底板の線材のコーティングが剥がれるおそれが無い。また、収容した食器が線材保護具に当接しないので、セラミック製の食器を使用した場合であっても、メタルマークが付くおそれがない。また、底面の位置する金属線材の下側だけ特コーティングを予め除去する作業を省略して、食器かごの製造・組立を効率よくできる効果がある。また、線材保護具をかごの底面に固定したので、全体的として食器かごを補強してする効果がある。
【００８１】
また、食器かご本体の収容部を分割できる仕切具を、前記食器かご本体に対して着脱自在で、かつ複数の取付け位置に取付けられる構成としたので、食器を重ねた状態の食器群を複数収容した場合であっても、食器群毎が衝突することなく、搬送中の食器の縁欠けを防止できる。
【００８２】
また、食器かごの底面に底面の四周に沿った形状の環状金属線材を配置したので、食器かごを補強し、食器かごをのゆがみを生じ難い効果がある。線材保護具と環状金属線材とを合わせると更に、その効果が増強される。
【図面の簡単な説明】
【図１】この発明の仕切具の実施例で、（ａ）は正面図、（ｂ）は平面図、（ｃ）は（ａ）のＡ−Ａ線における断面図である。
【図２】食器かご本体の正面図である。
【図３】図２のＢ−Ｂ線における断面図である。
【図４】図３のＣ−Ｃ線における端面図で、仕切具を取り付けた状態を表す。
【図５】この発明の線材保護具で、（ａ）は平面図、（ｂ）は（ａ）のＤ−Ｄ線における断面図である。
【図６】同じく線材保持具の底面図である。
【図７】同じく他の線材保持具の底面図である。
【図８】（ａ）はこの発明の食器かごに、食器を収容した状態の概略した縦断面図、（ｂ）は同じく他の食器の収容状態の概略した縦断面図、（ｃ）（ｄ）は従来の食器かごに食器を収容した状態の概略した縦断面図である。
【図９】この発明の他の線材保持具で、（ａ）は平面図、（ｂ）は（ａ）のＥ−Ｅ線における断面図である。
【図１０】この発明の他の線材保持具の実施例で、（ａ）は線材保護具を取り付け途中の食器かごの側面図、（ｂ）は同じく他の食器かごの側面図、（ｃ）は一部を省略した線材保持具正面図、（ｄ）は同じく側面図である。
【図１１】この発明の線材保護具の他の取付けを表す図で、（ａ）は取付け前の一部正面図、（ｂ）は同じく一部側面図、（ｃ）は取付け後の一部正面図である。
【符号の説明】
１  食器かご（食器かご本体）
２  側板
３  側板
４  底板
５  （底板の）上面
６  （底板の）下面
７  （底板の）短辺
８  （底板の）長辺
１０  第一基本格子
１１  底面部（第一基本格子）
１２  側面部（第一基本格子）
１４  第二基本格子
１５  底面部（第二基本格子）
１６  側面部（第二基本格子）
２０  縦補強鉄筋
２１  底面部（縦補強鉄筋）
２２  側面部（縦補強鉄筋）
２４  第一横線材
２６  第二横線材
２８  第三横線材
３０  第四横線材
３２  第五横線材
３４  開口縁線材
３６  提手
４２  支持部（仕切具）
４３  支持材（支持部）
４４  鈎状係止部（支持部）
４５  棒状係止部（支持部）
４７  仕切部（仕切具）
５３  仕切具
５５  当接材
５６  係止片
５７  連結材
５８  線材保護具
５９  透孔
６０  食器かご
６１ａ、６１ｂ  収容部
６２ａ、６２ｂ、６３、６４  食器群
６５  固定片
６６  透孔
７０  食器かご（従来例）
【図１】
0004157970.tif 000002
【図２】
0004157970.tif 000003
【図３】
0004157970.tif 000004
【図４】
0004157970.tif 000005
【図５】
0004157970.tif 000006
【図６】
0004157970.tif 000007
【図７】
0004157970.tif 000008
【図８】
0004157970.tif 000009
【図９】
0004157970.tif 000010
【図１０】
0004157970.tif 000011
【図１１】
0004157970.tif 000012